(57)【要約】【課題】本発明は、室内機の正面から目視できなくしつつ、縦羽根の回動を制限する空気調和機の室内機を提供することを目的とする。【解決手段】吸い込み口と吹き出し口とを結ぶ空気通路と、空気通路に配置された室内熱交換器と、空気通路に配置され、室内熱交換器の下流側に位置する室内送風ファンと、空気通路のうち室内送風ファンの下流側に位置する吹出し通路に設けられた左右風向変更手段とを備え、左右風向変更手段は、吹出し通路に設けられた複数の縦羽根と、縦羽根に接続され、吹出し通路の下面に設けられた孔と、孔を貫通する回動軸と、回動軸に接続され、吹出し通路の下方に位置する回動板と、回動板の回動を制限する回動制限機構とを有する。【選択図】図７
2016020750.tif 000002
【特許請求の範囲】
【請求項１】
吸い込み口と吹き出し口とを結ぶ空気通路と、
前記空気通路に配置された室内熱交換器と、
前記空気通路に配置され、前記室内熱交換器の下流側に位置する室内送風ファンと、
前記空気通路のうち前記室内送風ファンの下流側に位置する吹出し通路に設けられた左右風向変更手段とを備え、
前記左右風向変更手段は、前記吹出し通路に設けられた複数の縦羽根と、前記縦羽根に接続され、前記吹出し通路の下面に設けられた孔と、前記孔を貫通する回動軸と、前記回動軸に接続され、前記吹出し通路の下方に位置する回動板と、前記回動板の回動を制限する回動制限機構とを有する空気調和機の室内機。
【請求項２】
前記左右風向変更手段は、前記回動制限機構を少なくとも２つ備え、
一方の前記回動制限機構は時計回りの回動を制限し、他方の前記回動制限機構は反時計回りの回動を制限することを特徴とする請求項１に記載の空気調和機の室内機。
【請求項３】
前記吹出し通路の下面の一部を形成する取り付け枠を備え、
前記回動制限機構は、前記取り付け枠のうち前記吹出し通路と反対側の面に設けられていることを特徴とする請求項１に記載の空気調和機の室内機。
【請求項４】
前記左右風向変更手段は、前記回動板に接続され、複数の前記縦羽根を連結する連動板を有し、
前記連動板は、前記吹出し通路の下方に位置することを特徴とする請求項１に記載の空気調和機の室内機。
【請求項５】
前記左右風向変更手段は、前記回動軸に接続され、前記回動軸の上下方向の移動を制限する爪を有し、
前記爪は、前記吹出し通路の下方に位置することを特徴とする請求項１に記載の空気調和機の室内機。
【請求項６】
前記請求項１乃至５のいずれかに記載の空気調和機の室内機と、
圧縮機と室外熱交換器と室外送風ファンと膨張弁とを有する室外機とを備える空気調和機。
【発明の詳細な説明】
【技術分野】
【０００１】
本発明は、空気調和機の室内機及びこれを用いた空気調和機に関する。
【背景技術】
【０００２】
特許文献１には、吸い込み口と吹き出し口とを有するケーシング内に、熱交換器と、クロスフローファンと、クロスフローファンと吹き出し口を連通する吹き出し通路に吹き出し風の方向を左右に調節する複数の縦羽根と、吹き出し風の方向を上下に調節する横羽根とを備え、縦羽根は取り付け枠の回動孔に、縦羽根の回動軸を自由自在に取り付けられ、各縦羽根は連動板によって連動するように連結され風向調節装置が構成され、連動板には一長辺に突起辺が形成されており、縦羽根の最大揺動角度を調節する空気調和機の風向調整装置が記載されている。
【先行技術文献】
【特許文献】
【０００３】
【特許文献１】特開２００１−６５９６７号広報
【発明の概要】
【発明が解決しようとする課題】
【０００４】
特許文献１に記載の空気調和機の風向調整装置は、複数の縦羽根を同時に回動させる連動板及び縦羽根の最大揺動角度を制限する回動制御機構が吹き出し通路中にあり、回動制限機構が室内機の正面から目視できるおそれがあった。
【０００５】
そこで、本発明は、回動制限機構が目視されることを防ぎつつ、縦羽根の回動を制限する空気調和機の室内機を提供することを目的とする。
【課題を解決するための手段】
【０００６】
上記目的を達成するために、本発明に係る空気調和機の室内機は、吸い込み口と吹き出し口とを結ぶ空気通路と、空気通路に配置された室内熱交換器と、空気通路に配置され、室内熱交換器の下流側に位置する室内送風ファンと、空気通路のうち室内送風ファンの下流側に位置する吹出し通路に設けられた左右風向変更手段とを備え、左右風向変更手段は、吹出し通路に設けられた複数の縦羽根と、縦羽根に接続され、吹出し通路の下面に設けられた孔と、孔を貫通する回動軸と、回動軸に接続され、吹出し通路の下方に位置する回動板と、回動板の回動を制限する回動制限機構とを有する。
【発明の効果】
【０００７】
本発明によれば、回動制限機構が目視されることを防ぎつつ、縦羽根の回動を制限する空気調和機の室内機を提供することができる。
【図面の簡単な説明】
【０００８】
【図１】空気調和機の室内機、室外機、リモートコントローラである。
【図２】空気調和機のサイクル構成図である。
【図３】空気調和機の室内機内部構造を示す縦断面図である。
【図４】空気調和機の室内機内部構造を示す展開斜視図である。
【図５】空気調和機の左右風向変更手段の上面図である。
【図６】空気調和機の左右風向変更手段の斜視図である。
【図７】空気調和機の縦羽根の上面図、側面図である。
【発明を実施するための形態】
【０００９】
以下、本発明の実施例について図を用いて説明する。
【００１０】
図１は、空気調和機の室内機、室外機、リモートコントローラである。図１に示すように空気調和機は室内機１と室外機２から構成され、室内機１は家庭や事務所の居室に設けられ、居室内を冷房又は暖房したりして居室内の空気を空調する。また、室内機１に送る冷媒を冷却又は加熱する室外機２は室内機１と通信ケーブル、給電ケーブル（図示せず）を介して互いに接続され、これらのケーブルによって制御情報を送受信し、また電力を供給する。
【００１１】
リモートコントローラ３は操作者によって操作され、室内機１のリモートコントローラ送受信部に対して信号を送信する。この送受信される信号の内容は、運転要求、設定温度の変更、タイマ、運転モードの変更、停止要求等の指令である。空気調和機は、これらの信号に基づいて、冷房モード、暖房モード、除湿モードなどの空調運転モードを実行する。また、これとは別に室内機１のリモートコントローラ送受信部から、室温情報、湿度情報、電気代情報などの状態情報をリモートコントローラ３に送信する構成も採用することができる。
【００１２】
次に、図２を用いてサイクル構成を説明する。図２は、空気調和機のサイクル構成図である。
【００１３】
冷房運転時は、圧縮機６より吹き出された高温かつ高圧の冷媒は、四方弁５を介して室外熱交換器８に流入する。室外熱交換器８に流入した冷媒は、室外送風ファン１０によって送られる室外の空気と熱交換することで、凝縮されて液冷媒となる。液冷媒は、膨張弁７を通過することで低温低圧の二相冷媒になり、室内熱交換器４に流入する。室内熱交換器４に流入した低温低圧の二相冷媒はクロスフローファン９によって送られる室内の空気と熱交換する。
【００１４】
この時、室内熱交換器４に送られた室内の空気は、室内熱交換器４に流入した低温低圧の二相冷媒によって冷却され、後述する吹き出し口２７から室内に吐出される。吹き出し口２７から室内に吹き出される空気は、後述する吸い込み口２８における空気の温度よりも低いため、室内の温度を下げることができる。室内熱交換器４で熱交換された冷媒は四方弁５を介して再び圧縮機６に戻る。圧縮機６と室外熱交換器８と室外送風ファン１０と膨張弁７は室外に配置され、室内熱交換器４とクロスフローファン９は室内機１に配置されている。
【００１５】
クロスフローファン９が回転すると、室内空気が室内機１に設けられた空気吸い込み口２８から吸入されて室内を空調する。なお、空気調和機の運転時における動作の詳細については、その説明を省略する。
【００１６】
次に、図３を用いて空気調和機の室内機１の構成を説明する。図３は、空気調和機の室内機内部構造を示す縦断面図である。
【００１７】
クロスフローファン９と吹き出し口２７を連通する吹き出し通路１４は吹き出し風の方向を左右に調節する複数の縦羽根１６〜２５（図３では縦羽根２０のみを図示。）を有する左右風向変更手段４２と縦羽根１６〜２５を回動自在に固定する取り付け枠１５と吹き出し風を上下に調節する横羽根２６とを備えている。
【００１８】
その他、室内機１にはドレンパン、露受皿、カメラなどが収納されているが、これらについては、その説明を省略する。
【００１９】
なお、背面ケーシング１２に上記の各機器を設置した後、室内機１の正面から前面ケーシングを背面ケーシング１２に嵌めることとなる。
【００２０】
室内熱交換器４は、複数本の伝熱管１１が貫通するフィン１３が所定の間隔をあけて多数枚積層され、室内機１を側面視して逆Ｖ字型に形成されている。伝熱管１１は、冷媒配管を介して室外機２と接続されており、冷房サイクルまたは加熱するように構成されている。
【００２１】
クロスフローファン９は円筒形に成形されたクロスフロー型のファンで、両端部及びクロスフローファン９の中心軸方向に複数個所も受けられる円筒型の仕切り板と、一方型の仕切り板から他方の仕切り板に向けて延び且つ演習場に設置される多数の羽根とにより構成されている。クロスフローファン９は、中心軸周りに回転して送風動作を行うように構成されている。
【００２２】
ケーシングは、前面ケーシングと背面ケーシング１２とにより構成され、前面ケーシングの前面及び上面に吸い込み口２８が形成され、前面ケーシングの下面に吹き出し口２７が形成されている。
【００２３】
次に、図４を用いて空気調和機の室内機１内部の構成を説明する。図４は、空気調和機の室内機内部構造を示す展開斜視図である。
【００２４】
空気調和機の室内機１は室内熱交換器４、クロスフローファン９、フィルタ掃除装置３０、正面フィルタ３２、上面フィルタ３１、及び前面に電装箱３３が配置されている。背面ケーシング１２が据付板２９によって壁面に取り付けられている。
【００２５】
ケーシング内に、室内熱交換器４とクロスフローファン９とを収容し、吸い込み口２８からフィルタ３１、３２を介して吸い込んだ空気を室内熱交換器４で加熱または冷却した後、クロスフローファン９により、室内熱交換器４で加熱または冷却された空気を吹き出し口２７から吹き出す。
【００２６】
次に、図５〜７を用いて風向調節装置について説明する。図５は、空気調和機の左右風向調節装置である。図６は、空気調和機の左右風向調節装置の斜視図である。図７は、空気調和機の縦羽根の上面図、側面図である。
【００２７】
各縦羽根１６〜２５は、図５に示すように連動板３４によって連動するよう連結されることで、風向調節装置が構成され、全ての縦羽根１６〜２５が同時に同期しながら左右に回動するように構成されている。
【００２８】
回動孔４０は、図６に示すように取り付け枠１５に設けられている。本実施例では、回動孔４０に、図７に示す縦羽根１６〜２５の回動軸３６を回動自在に取り付けている。
【００２９】
取り付け方法は、縦羽根１６〜２５を室内機１から見える向きに向けて、取り付け枠１５に開けられた回動孔４０に縦羽根１６〜２５の軸部を通し、その状態で縦羽根１６〜２５を室内機１から縦線に見える向きに回転することで、縦羽根１６〜２５の軸部に設けられた爪３７が取り付け枠１５の回動孔４０に引っ掛かり、縦羽根１６〜２５を取り付け枠１５に固定する。
【００３０】
取り付け枠１５にはボス３５が２箇所に設けられており、ボス３５は前記の方法で取り付けられた縦羽根１６〜２５が、室内機１の正面から見て左に動く時、縦羽根２４の連結部３８がボス３５に接触するので、回動を制限することができる。
【００３１】
ここで、仮に縦羽根１６〜２５の回動を制限するボス３５を吹き出し通路１４中に設置した場合、ボス３５が空気調和機の正面から目視され、ユーザに不快感を与えるおそれがある。
【００３２】
そこで、本実施例では、ボス３５を吹出し通路１４の下方に位置させている。すなわち、本実施例に係る空気調和機は、吸い込み口２７と吹き出し口２８とを結ぶ空気通路と、空気通路に配置された室内熱交換器４と、空気通路に配置され、室内熱交換器４の下流側に位置する室内送風ファン（クロスフローファン９）と、空気通路のうち室内送風ファン（クロスフローファン９）の下流側に位置する吹出し通路１４に設けられた左右風向変更手段４２とを備え、左右風向変更手段４２は、吹出し通路１４に設けられた複数の縦羽根１６〜２５と、縦羽根１６〜２５に接続され、吹出し通路１４の下面に設けられた孔（回動孔４０）と、孔（回動孔４０）を貫通する回動軸３６と、回動軸３６に接続され、吹出し通路１４の下方に位置する回動板４１と、回動板４１の回動を制限する回動制限機構（ボス３５）とを有する。
【００３３】
このような構成によれば、回動制限機構（ボス３５）を室内機１の正面から目視できなくしつつ、複雑な構造を採用することなく、回動制限機構（ボス３５）によって縦羽根１６〜２５の回動を制限することができる。
【００３４】
又、図６に示すように、左右風向変更手段４２は、回動制限機構（ボス３５）を少なくとも２つ備え、一方の回動制限機構（ボス３５）は、時計回りの回動を制限し、他方の回動制限機構（ボス３５）は、反時計回りの回動を制限する。
【００３５】
又、吹出し通路１４の下面の一部を形成する取り付け枠１５を備え、回動制限機構（ボス３５）は、取り付け枠１５のうち吹出し通路１４と反対側の面に設けられている。
【００３６】
又、左右風向変更手段４２は、回動板４１に接続され、複数の縦羽根１６〜２５を連結する連動板３４を有し、連動板３４は、吹出し通路１４の下方に位置する。このような構成によれば、連動板３４を室内機１の正面から目視されることも防ぐことができる。
【００３７】
さらに、図７に示すように縦羽根１６〜２５に爪３７を設け、取り付け枠１５の回動孔４０に引っ掛かり、回動軸３６が取り付け枠１５に設けられた回動孔４０から外れるのを防止している。
【００３８】
室内機１の正面から見て縦羽根１６〜２５が右に動く場合も同様に縦羽根２５の連結部３８がボス３５と接触し、回動を制限することで縦羽根１６〜２５に設けられた爪３７が取り付け枠１５に設けられた回動孔４０から外れるのを防止している。
【００３９】
そして、本実施例では、爪３７も吹出し通路１４の下方に位置させている。すなわち、左右風向変更手段４２は、回動軸３６に接続され、回動軸３６の上下方向に移動を制限する爪３７を有し、爪３７は、吹出し通路１４の下方に位置する。このような構成によれば、爪３７を室内機１の正面から目視されることも防ぐことができる。
【００４０】
尚、図７に記載した羽根２５は、接続部４３を介して駆動用モータに接続され、羽根１６〜２４は連動板３４を介して羽根２５に接続されている。
【符号の説明】
【００４１】
１…室内機、２…室外機、３…リモートコントローラ、１１…伝熱管、１２…背面ケーシング、１３…フィン、１４…吹き出し通路、１５…取り付け枠、１６〜２５…縦羽根、２６…横羽根、２７…吹き出し口、２８…吸い込み口、２９…据付板、３０…フィルタ掃除装置、３１…上面フィルタ、３２…前面フィルタ、３３…電装箱、３４…連動板、３５…ボス、３６…回動軸、３７…爪、３８…連結部、３９…連結軸、４０…回動孔、４１…回動板、４２…左右風向変動手段
【図１】
2016020750.tif 000003
【図２】
2016020750.tif 000004
【図３】
2016020750.tif 000005
【図４】
2016020750.tif 000006
【図５】
2016020750.tif 000007
【図６】
2016020750.tif 000008
【図７】
2016020750.tif 000009